(57)【要約】      （修正有）【課題】主に４〜２０μｍの光波範囲で作動する赤外線波長の振動数を赤外線の照射対象範囲を超えて伝達することで、睡眠改善効果を増強するための睡眠補助装置を提供する。【解決手段】互いに掛合するよう接続される本体面カバー１と本体底カバー２を含み、本体面カバーの先端部には、主発光ポイント３、主発光ポイントに接続されるスイッチボタン４、及びスイッチボタンの周囲に設けられるサブ発光リング４が配置され、本体底カバーにはＰＣＢ回路基板が設けられ、ＰＣＢ回路基板は、本体面カバー上の発光ポイント、スイッチボタン及びサブ発光リングに接続され、主発光ポイント及びサブ発光リングの内部には、担体としてのＬＥＤランプが設けられ、主発光ポイントとサブ発光リングの外側には、光波範囲４〜２０μｍの赤外線を放出可能な導光面が設けられる。本考案によれば、エネルギー関連製品を身体に密着させて近距離で使用しなければ周波数振動の影響を享受できないとの制限が革新的に解消される。【選択図】図１
0003210910.tif 000002
【実用新案登録請求の範囲】
【請求項１】
互いに掛合するよう接続される本体面カバーと本体底カバーを含み、前記本体面カバーの先端部には、主発光ポイント、前記主発光ポイントに接続されるスイッチボタン、及び前記スイッチボタンの周囲に設けられるサブ発光リングが配置され、
前記本体底カバーにはＰＣＢ回路基板が設けられ、前記ＰＣＢ回路基板は、前記本体面カバー上の発光ポイント、スイッチボタン及びサブ発光リングに接続され、
前記主発光ポイント及びサブ発光リングの内部には、担体としてのＬＥＤランプが設けられ、前記主発光ポイントとサブ発光リングの外側には、４〜２０μｍの赤外線波長を放出可能な導光面が設けられることを特徴とする睡眠補助装置。
【請求項２】
前記主発光ポイント内には２８３５ＬＥＤ豆電球が設けられ、波長６３０ｎｍで１分あたり２０回の頻度で発光し、発光は毎回１５００ｍｓであり、発光後に１５００ｍｓの消灯時間が設けられることを特徴とする請求項１記載の睡眠補助装置。
【請求項３】
前記サブ発光リング内には光源として０８０５ＬＥＤが設けられ、光沢研磨された透明のアクリルリングが導光作用を奏するよう配置されていることを特徴とする請求項１記載の睡眠補助装置。
【請求項４】
前記本体底カバーの下方には、滑り止めパッドと壁掛けベースが設けられることを特徴とする請求項１記載の睡眠補助装置。
【請求項５】
前記本体面カバーはアルミニウム合金をＣＮＣ加工して得られ、前記本体底カバーはＡＢＳ樹脂を射出成形して得られることを特徴とする請求項１記載の睡眠補助装置。
【考案の詳細な説明】
【技術分野】
【０００１】
本考案は機械分野に関し、特に睡眠補助装置に関する。
【背景技術】
【０００２】
現在の遠赤外線エネルギー製品は、一般的に身体に密着させて使用する必要がある。人体に近い距離（１〜５ｍｍ）で製品本体に接触していなければ、周波数振動によるプラスの影響を受けることはできない。例えば、特許文献１は、遠赤外線エネルギーを含有する水を保温マットレスに加えて循環させることで、睡眠と同時に物理療法も行う遠赤外線エネルギーウォーターベッドの用途について開示している。ただ、この装置には一定の効果はあるものの、使用はマットレス範囲での近距離に限られるため、使用範囲、柔軟性のいずれにおいても制限がある。
【先行技術文献】
【特許文献】
【０００３】
【特許文献１】中国特許公報ＣＮ１３０５１９６０１Ａ
【考案の概要】
【考案が解決しようとする課題】
【０００４】
本考案は、主に４〜２０μｍの光波範囲で作動する赤外線波長の振動数を赤外線の照射対象範囲を超えて伝達することで、睡眠改善効果を増強するための睡眠補助装置を提供することを解決しようとする技術的課題とする。
【課題を解決するための手段】
【０００５】
前記睡眠補助装置は、互いに掛合するよう接続される本体面カバーと本体底カバーを含み、前記本体面カバーの先端部には、主発光ポイント、前記主発光ポイントに接続されるスイッチボタン、及び前記スイッチボタンの周囲に設けられるサブ発光リングが配置され、前記本体底カバーにはＰＣＢ回路基板が設けられ、前記ＰＣＢ回路基板は、前記本体面カバー上の発光ポイント、スイッチボタン及びサブ発光リングに接続され、前記主発光ポイント及びサブ発光リングの内部には、担体としてのＬＥＤランプが設けられ、前記主発光ポイントとサブ発光リングの外側には、４〜２０μｍの赤外線波長を放出可能な導光面が設けられる。
【０００６】
前記主発光ポイント内には２８３５ＬＥＤ豆電球が設けられ、波長６３０ｎｍで１分あたり２０回の頻度で発光し、発光は毎回１５００ｍｓであり、発光後に１５００ｍｓの消灯時間が設けられる。
【０００７】
前記サブ発光リング内には光源として０８０５ＬＥＤが設けられ、光沢研磨された透明のアクリルリングが導光作用を奏するよう配置されている。
【０００８】
前記本体底カバーの下方には、滑り止めパッドと壁掛けベースが設けられる。
【０００９】
前記本体面カバーはアルミニウム合金をＣＮＣ加工して得られ、前記本体底カバーはＡＢＳ樹脂を射出成形して得られる。
【考案の効果】
【００１０】
本考案の実施例を実施すれば、以下の有益な効果が得られる。即ち、本考案の実施例における睡眠補助装置では、６３０ｎｍの可視赤色光を担体として用い、４〜２０μｍ波長の振動数を赤外線の照射対象範囲を超えて伝達することで、電磁波の電磁場を形成する。当該装置によれば、この電磁場の範囲内において人体は遠赤外線エネルギーを取得する。４〜２０μｍ波長の振動周波数は、人体の細胞分子における振動周波数と近いことから、体内に浸透すると身体内の細胞と有効に共振効果を奏する。これより、皮下深層温度の上昇が促進され、血管が拡張し、微小血管の循環力が向上する結果、組織細胞の活性化、循環障害による様々な疾病又は不調の改善が可能となる。本考案によれば、エネルギー関連製品を身体に密着させて近距離で使用しなければ周波数振動の影響を享受できないとの制限が革新的に解消される。また、６３０ｎｍの赤色光を担体として用いることでエネルギーを伝達するため、より効率よく、便利且つ柔軟に４〜２０μｍ範囲の光波エネルギーを活用できるとの利点がある。
【図面の簡単な説明】
【００１１】
【図１】図１は、本考案の構造を示す図である。
【考案を実施するための形態】
【００１２】
本考案の目的、技術方案及び利点をより明確にすべく、以下に図面を組み合わせて本考案につき更に詳細に述べる。
【００１３】
本考案の実施例における睡眠補助装置は、互いに掛合するよう接続される本体面カバー１と本体底カバー２を含む。本体面カバー１の先端部には、主発光ポイント３、主発光ポイント３に接続されるスイッチボタン４、及びスイッチボタンの周囲に設けられるサブ発光リング５が配置されている。本体底カバーにはＰＣＢ回路基板が設けられている。ＰＣＢ回路基板は、本体面カバー上の発光ポイント３、スイッチボタン４及びサブ発光リング５に接続される。主発光ポイント３及びサブ発光リング５の内部には、担体としてのＬＥＤランプが設けられている。また、主発光ポイントとサブ発光リングの外側には、４〜２０μｍの赤外線波長を放出可能な導光面が設けられている。主発光ポイント内には、２８３５ＬＥＤ豆電球が設けられており、波長６３０ｎｍで１分あたり２０回の頻度で発光する。発光は毎回１５００ｍｓであり、発光後に１５００ｍｓの消灯時間が設けられる。サブ発光リング内には光源として０８０５ＬＥＤが設けられており、光沢研磨された透明のアクリルリングが導光作用を奏するよう配置されている。ＰＣＢ回路基板には、音楽プレーヤーが溶接されている。また、前記本体底カバーの一方側には、前記ＰＣＢ回路基板にそれぞれ接続されて音量や明るさを調整するための音量ボタンと明るさボタンが設けられている。明るさは２段階に分けられる。本体底カバーの下方には、滑り止めパッドと壁掛けベースが設けられている。本体面カバーは６０６１−Ｔ４アルミニウム合金をＣＮＣ加工して得られ、前記本体底カバーはＡＢＳ樹脂を射出成形して得られる。
【００１４】
本考案の実施例における睡眠補助装置では、６３０ｎｍの可視赤色光を担体として用い、４〜２０μｍ波長の振動数を赤外線の照射対象範囲を超えて伝達することで、電磁波の電磁場を形成する。当該装置によれば、この「電磁場」の範囲内において人体は遠赤外線エネルギーを取得する。４〜２０μｍ波長の遠赤外線の振動周波数は、人体の細胞分子における振動周波数と近いことから、体内に浸透すると身体内の細胞と有効に共振効果を奏する。これより、皮下深層温度の上昇が促進され、血管が拡張し、微小血管の循環力が向上する結果、組織細胞の活性化、循環障害による様々な疾病又は不調の改善が可能となる。本考案によれば、エネルギー関連製品を身体に密着させて近距離で使用しなければ周波数振動の影響を享受できないとの制限が革新的に解消される。また、６３０ｎｍの赤色光を担体として用いることでエネルギーを伝達するため、より効率よく、便利且つ柔軟に４〜２０μｍ範囲の光波エネルギーを活用できるとの利点がある。
【００１５】
以上は本考案の好ましい実施例にすぎず、本考案の権利範囲がこれに限定されないことはいうまでもない。よって、本考案の登録請求の範囲に基づき実施される等価の変更も本考案の範囲に属する。
【図１】
0003210910.tif 000003
【手続補正書】
【提出日】平成29年4月7日(2017.4.7)
【手続補正１】
【補正対象書類名】実用新案登録請求の範囲
【補正対象項目名】全文
【補正方法】変更
【補正の内容】
【実用新案登録請求の範囲】
【請求項１】
互いに掛合するよう接続される本体面カバーと本体底カバーを含み、前記本体面カバーの先端部には、主発光ポイント、前記主発光ポイントに接続されるスイッチボタン、及び前記スイッチボタンの周囲に設けられるサブ発光リングが配置され、
前記本体底カバーにはＰＣＢ回路基板が設けられ、前記ＰＣＢ回路基板は、前記本体面カバー上の発光ポイント、スイッチボタン及びサブ発光リングに接続され、
前記主発光ポイント及びサブ発光リングの内部には、担体としてのＬＥＤランプが設けられ、前記主発光ポイントとサブ発光リングの外側には、４〜２０μｍの赤外線波長を放出可能な導光面が設けられることを特徴とする睡眠補助装置。
【請求項２】
前記主発光ポイント内にはＬＥＤ豆電球が設けられ、波長６３０ｎｍで１分あたり２０回の頻度で発光し、発光は毎回１５００ｍｓであり、発光後に１５００ｍｓの消灯時間が設けられることを特徴とする請求項１記載の睡眠補助装置。
【請求項３】
前記サブ発光リング内には光源としてＬＥＤが設けられ、光沢研磨された透明のアクリルリングが導光作用を奏するよう配置されていることを特徴とする請求項１記載の睡眠補助装置。
【請求項４】
前記本体底カバーの下方には、滑り止めパッドと壁掛けベースが設けられることを特徴とする請求項１記載の睡眠補助装置。
【請求項５】
前記本体面カバーはアルミニウム合金をＣＮＣ加工して得られ、前記本体底カバーはＡＢＳ樹脂を射出成形して得られることを特徴とする請求項１記載の睡眠補助装置。